(57)【要約】【課題】  簡易な構造で警報器を目立たないように設置可能とすることで、監視領域の美観が警報器によって大きく損なわれることを防止できる、警報器の設置構造を提供すること。【解決手段】  監視領域の異常を検出して警報を行う感知器１を、所定の設置面Ｗに対して設置するための、感知器１の設置構造であって、設置面Ｗに設置された感知器１と、設置面Ｗ又は感知器１に固定され、この感知器１をその外部に対して略非露出状に覆う感知器カバー１０とを備えたことを特徴とする。【選択図】        図２
2006323577.tif 000002
【特許請求の範囲】
【請求項１】
監視領域の異常を検出して警報を行う警報器を、所定の設置面に対して設置するための、警報器の設置構造であって、
前記設置面に設置された警報器と、
前記設置面又は前記警報器に固定され、この警報器をその外部に対して略非露出状に覆うカバー手段と、
を備えたことを特徴とする警報器の設置構造。
【請求項２】
前記カバー手段を、前記警報器を内包する中空箱状に形成したこと、
を特徴とする請求項１に記載の警報器の設置構造。
【請求項３】
前記カバー手段には、当該カバー手段の外部と内部との間において、気体、音、又は、光を連通自在とするための連通手段を設けたこと、
を特徴とする請求項１又は２に記載の警報器の設置構造。
【請求項４】
前記カバー手段には、前記連通手段を介して前記カバー手段の内部が目視されることを略防止するための遮蔽手段を設けたこと、
を特徴とする請求項１から３のいずれか一項に記載の警報器の設置構造。
【請求項５】
前記カバー手段には、前記警報器に設けられた試験動作起動用の試験起動手段を、当該カバー手段の外部から操作するための試験操作手段を設けたこと、
を特徴とする請求項１から４のいずれか一項に記載の警報器の設置構造。
【請求項６】
前記設置面には、前記警報器の少なくとも一部を当該設置面の内部に埋設するための収容スペースを形成し、
前記カバー手段にて、前記収容スペースに埋設された前記警報器を略覆ったこと、
を特徴とする請求項１から５のいずれか一項に記載の警報器の設置構造。
【請求項７】
前記警報器は、前記監視領域における所定の物理量を検出するための検出手段を有し、
前記検出手段を、前記収容スペースに対して非埋設状としたこと、
を特徴とする請求項１から６のいずれか一項に記載の警報器の設置構造。
【請求項８】
前記カバー手段は、当該カバー手段が前記設置面から外側に突出する突出量を調整するための調整手段を備えたこと、
を特徴とする請求項１から７のいずれか一項に記載の警報器の設置構造。
【発明の詳細な説明】
【技術分野】
【０００１】
本発明は、監視領域の火災発生等の各種の異常を検出して警報を行う警報器を、所定の設置面に対して設置するための、警報器の設置構造に関する。
【背景技術】
【０００２】
従来から、監視領域における火災発生等の各種の異常を感知して警報等を行う警報器が提案されている。このような警報器としては、例えば、火災により発生した煙をチャンバー内に流入させ、この流入した煙によって光が散乱された際の散乱光量の変化を検出することによって火災発生を検知する、煙式の火災感知器が提案されている。特に、近年の法律改正により、戸建住宅や共同住宅において、住宅用の火災警報器の設置が義務付けられたことから、このような警報器が一般住宅において多数設置されることが想定される。
【０００３】
このような警報器を、監視領域の天井や壁面の如き設置面に設置する際には、従来、設置面に平板状の取付けベースをネジ止めし、この取付けベースに設けたフックに、警報器を係止させていた。この設置構造においては、警報器全体が設置面よりも監視領域側に完全に露出されていた。あるいは、設置面の内部に取付金具を配置し、この取付金具に警報器を固定する構造も提案されていた（例えば、特許文献１参照）。この設置構造においては、警報器の一部が設置面の内部に埋設されていたものの、その大部分は依然として監視領域側に露出されていた。
【０００４】
【特許文献１】特開平１０−４９７６８号公報
【発明の開示】
【発明が解決しようとする課題】
【０００５】
しかしながら、このような従来の警報器の設置構造においては、警報器全体や警報器のかなりの部分が監視領域に露出されていたので、この露出部分によって監視領域の美観が損なわれていた。特に、警報器が一般住宅に設置される場合には、一般住宅の内装を整えても、その美観が警報器によって損なわれてしまうことになる。このような問題を防ぐため、警報器を目立たないように設置することが要望されていた。また、上記特許文献１のように、警報器の一部を設置面に埋設した場合には、美観の毀損が軽減されるものの、設置面に取付金具を埋設するような工事が必要になり、警報器の設置が大掛かりになってしまうため、特に一般住宅における設置構造としては不適であった。
【０００６】
本発明は、上記に鑑みてなされたものであって、簡易な構造で警報器を目立たないように設置可能とすることで、監視領域の美観が警報器によって大きく損なわれることを防止できる、警報器の設置構造を提供することを目的とする。
【課題を解決するための手段】
【０００７】
上述した課題を解決し、目的を達成するために、請求項１に記載の警報器の設置構造は、監視領域の異常を検出して警報を行う警報器を、所定の設置面に対して設置するための、警報器の設置構造であって、前記設置面に設置された警報器と、前記設置面又は前記警報器に固定され、この警報器をその外部に対して略非露出状に覆うカバー手段とを備えたことを特徴とする。
【０００８】
また、請求項２に記載の警報器の設置構造は、請求項１に記載の警報器の設置構造において、前記カバー手段を、前記警報器を内包する中空箱状に形成したことを特徴とする。
【０００９】
また、請求項３に記載の警報器の設置構造は、請求項１又は２に記載の警報器の設置構造において、前記カバー手段には、当該カバー手段の外部と内部との間において、気体、音、又は、光を連通自在とするための連通手段を設けたことを特徴とする。
【００１０】
また、請求項４に記載の警報器の設置構造は、請求項１から３のいずれか一項に記載の警報器の設置構造において、前記カバー手段には、前記連通手段を介して前記カバー手段の内部が目視されることを略防止するための遮蔽手段を設けたことを特徴とする。
【００１１】
また、請求項５に記載の警報器の設置構造は、請求項１から４のいずれか一項に記載の警報器の設置構造において、前記カバー手段には、前記警報器に設けられた試験動作起動用の試験起動手段を、当該カバー手段の外部から操作するための試験操作手段を設けたことを特徴とする。
【００１２】
また、請求項６に記載の警報器の設置構造は、請求項１から５のいずれか一項に記載の警報器の設置構造において、前記設置面には、前記警報器の少なくとも一部を当該設置面の内部に埋設するための収容スペースを形成し、前記カバー手段にて、前記収容スペースに埋設された前記警報器を略覆ったことを特徴とする。
【００１３】
また、請求項７に記載の警報器の設置構造は、請求項１から６のいずれか一項に記載の警報器の設置構造において、前記警報器は、前記監視領域における所定の物理量を検出するための検出手段を有し、前記検出手段を、前記収容スペースに対して非埋設状としたことを特徴とする。
【００１４】
また、請求項８に記載の警報器の設置構造は、請求項１から７のいずれか一項に記載の警報器の設置構造において、前記カバー手段は、当該カバー手段が前記設置面から外側に突出する突出量を調整するための調整手段を備えることを特徴とする。
【発明の効果】
【００１５】
この発明によれば、警報器をカバー手段によって略非露出状に覆うことができるので、警報器が目立たなくなり、居室等の監視領域の美観が警報器によって損われることが防止される。従って、特に一般住宅に警報器を設置する際の抵抗感を軽減でき、警報器の設置をスムーズに行うことができる。
【００１６】
また、この発明によれば、中空箱状のカバー手段の内部に警報器を収容できるので、警報器は従来と同様に構成し、この警報器にカバー手段を被せるだけで当該警報器をカバーでき、警報器やカバー手段の構成とその取付けが容易である。
【００１７】
また、この発明によれば、カバー手段の外部と内部との間において、気体、音、又は、光が連通可能であるため、監視領域の煙をカバー手段の内部に流入させることができて、警報器の検煙性能を維持することができる。また、警報音をカバー手段の外部に放出可能であるため、警報器の音響性能を維持できる。さらに、警報等のための表示光をカバー手段の外部に放出可能であるため、警報器の表示性能を維持できる。
【００１８】
また、この発明によれば、連通手段を介してカバー手段の内部が目視されることを略防止でき、連通手段を設けることで、警報器が目視可能に露出して美観が損われることを、防止できる。
【００１９】
また、この発明によれば、試験動作起動用の試験起動手段をカバー手段の外部から操作できるので、カバー手段を取付けたままで警報器の試験を行うことができる。
【００２０】
また、この発明によれば、警報器の少なくとも一部を設置面の内部に埋設できるので、設置面からの警報器の突出量を低減でき、警報器を一層目立たなくして、監視領域の美観を一層向上させることができる。
【００２１】
また、この発明によれば、検出手段は非埋設状態とすることができるので、検煙部への煙の流入性を確保でき、警報器の検出機能を維持することができる。
【００２２】
また、この発明によれば、カバー手段の設置面からの突出量を調整できるので、警報器を設置しない場合には、警報器の収容スペースが不要になるため、その分だけカバー手段の突出量を減らしておく等、カバー手段を一層目立たなくして、監視領域の美観を一層向上させることができる。
【発明を実施するための最良の形態】
【００２３】
以下に添付図面を参照して、この発明に係る警報器の設置構造の各実施の形態を詳細に説明する。まず、〔I〕各実施の形態に共通の基本的概念を説明した後、〔II〕各実施の形態について説明し、〔III〕最後に、本発明の各実施の形態に対する変形例について説明する。
【００２４】
〔I〕本発明の基本的構成
まず、各実施の形態に共通の基本的概念について説明する。各実施の形態に係る警報器の設置構造は、監視領域の異常を検出して警報を行う警報器を、所定の設置面に対して設置するための構造である。この警報器による具体的な感知対象は任意であり、例えば、火災による熱や煙、あるいは、ガス漏れによる一酸化炭素を感知する。以下の説明では、火災による煙を感知する煙検出部を備えた煙式火災感知器を設置する場合について例示する。
【００２５】
この設置構造の特徴の一つは、警報器をカバー手段にて覆うことで、この警報器を外部に対して略非露出状としていることにある。このカバー手段は、警報器の全体を覆うものであってもよく、あるいは、警報器の一部のみを覆うものでもよい。また、設置面に対する警報器の固定構造としては、従来と同様に取付けベースを用いて、警報器の全体が設置面から突出するようにしてもよい。あるいは、設置面に警報器の全体又は一部を埋設し、設置面からの突出量を低減させてもよい。このようなカバー構造を採用して警報器を非露出状とすることで、警報器によって監視領域の美観が損なわれることを防止できる。
【００２６】
また、設置構造の他の特徴の一つは、警報器をカバー手段で覆いつつも、この警報器の検煙、警報、表示等の各種の基本性能が損なわれないような工夫を施している点にある。具体的には、例えば、カバー手段に開口部を設けることで、監視領域の煙や熱がカバー手段で妨げられることなく警報器に到達可能になっており、また、警報器から出力された警報音がカバー手段で妨げられることなく外部に放出可能となっている。また、単に開口部を設けた場合には、この開口部を介して警報器が露出し、カバー手段による美観向上効果が損なわれる可能性があるため、開口部から警報器が露出することを防止するための遮蔽手段をさらに設けている。
【００２７】
〔II〕本発明の実施の形態
次に、本発明に係る警報器の設置構造の各実施の形態について説明する。ただし、これら各実施の形態によって本発明が限定されるものではない。
【００２８】
〔実施の形態１〕
まず、本発明の実施の形態１について説明する。図１は、本実施の形態１に係る設置構造の正面図、図２は、図１の設置構造の側面図、図３は、図１の設置構造の分解斜視図である。これら各図に示すように、本実施の形態１に係る設置構造は、概略的に、設置面Ｗに設置された感知器１を、感知器カバー１０で覆って構成されている。
【００２９】
（感知器１について）
このうち、感知器１は、監視領域の異常を検出して警報を行うもので、特許請求の範囲における警報器に対応する。なお、感知器１の構成や処理のうち、特に説明なき構成や処理については、従来の感知器と同様である。この本実施の形態１において、感知器１は、煙式感知器であり、正面略方形状の筐体２の内部に各種の電気的構成要素等を収容して構成されている。
【００３０】
この筐体２の正面外端部には、煙の発生を検出するための検煙部３が設けられている。この検煙部３の周囲には開口部３ａが形成されており、この検煙部３の内部には図示しない煙チャンバーが配置されている。そして、開口部３ａから流入した煙が、この煙チャンバー内に流入すると、この流入した煙の粒子によって、図示しない発光素子によって投光されている光が散乱される。この散乱光は、図示しない受光素子によって受光され、この受光量が変化することで、煙の侵入が検知され、火災発生が検知される。
【００３１】
ここで、筐体２の正面には、音響孔４が設けられている。この音響孔４は、筐体２に穿設された小孔であり、筐体２の内部に設けられた図示しないスピーカから出力された警報音を、筐体２の外部に放出するための放音手段である。
【００３２】
また、筐体２の正面には、表示灯５が設けられている。この表示灯５は、感知器１の所定の状態を外部に表示するための表示手段であり、火災発生が検知されると、この表示灯５が点滅又は点灯状態になり、火災発生の旨がユーザ等に報知される。
【００３３】
さらに、検煙部３の下方には、試験スイッチ６が設けられている。この試験スイッチ６は、所定の試験動作の起動を指示するための試験起動手段である。この試験スイッチ６が、点検員等によって任意のタイミングで押圧されると、擬似的な火災検知信号が出力され、上記表示灯５を含む各部が正常に動作するか否かが試験される。
【００３４】
この感知器１は、取付けベース２０を介して設置面Ｗに取付けられている。すなわち、設置面Ｗには、略平板状に形成された取付けベース２０が取付けられている。具体的には、取付けベース２０には、複数の取付け孔２１が形成されており、この取付け孔２１に石膏釘２２を挿通させて設置面Ｗに打設することによって、取付けベース２０が設置面Ｗに固定されている。このように取付けベース２０の固定に石膏釘２２を用いているので、設置面Ｗの釘孔を小さくでき、マンション等のように壁面に大きな釘孔を開けることが敬遠される場合においても感知器１の取付けが可能になる。このように固定される取付けベース２０には、感知器用フック２３と、カバー用フック２４とが設けられている。一方、感知器１の筐体２には、環状のフック２ａが設けられており、このフック２ａを感知器用フック２３に係止させることで、感知器１を取付けベース２０に容易かつ確実に固定することができる。
【００３５】
（感知器カバー１０について）
次に、感知器カバー１０について説明する。この感知器カバー１０は、感知器１をその外部に対して略非露出状に覆うもので、特許請求の範囲におけるカバー手段に対応する。この感知器カバー１０は、中空箱状のカバー本体１１の外面全体を、被覆シート１２にて覆って構成されている。
【００３６】
（美観の向上について）
この感知器カバー１０は、全体としては、図示のように、感知器１の正面形状より若干大きな正面形状で、かつ、感知器１の厚みよりも若干厚い、中空箱状に形成されている。従って、図１、２に示すように、この感知器カバー１０の内部に、感知器１と取付けベース２０とを略完全に内包することができ、この収容状態において、感知器１が感知器カバー１０によって略完全に覆われてこの感知器カバー１０の外部から目視困難になる。従って、感知器１が目立たなくなり、居室等の監視領域の美観が感知器１によって損われることが防止される。
【００３７】
特に、本実施の形態１においては、感知器カバー１０の外側面が、設置面Ｗと同様の色、模様、及び、材質を有するように形成されている。具体的には、感知器カバー１０のカバー本体１１は、軽金属や樹脂等の任意の材質にて構成されているが、このカバー本体１１を被覆する被覆シート１２は、設置面Ｗに使用されているのと同じ壁紙（クロス）にて形成されている。従って、この感知器カバー１０で感知器１を覆った状態において、この感知器カバー１０の被覆シート１２が設置面Ｗと略一体の美観を構成し、監視領域の美観が一層向上する。
【００３８】
（着脱性について）
ここで、感知器カバー１０の裏面には、開口部１３が形成されている。この開口部１３は、感知器１の正面形状より若干大きめに形成されており、この開口部１３に感知器１を挿通させることができる。従って、まず取付けベース２０に感知器１を取付けた後、この感知器カバー１０を感知器１の正面側から設置面Ｗに向けて押し当てることで、開口部１３を介して、感知器１を感知器カバー１０の内部に収容することができる。その後、開口部１３の上縁を、取付けベース２０のカバー用フック２４に係止させることで、図１、２に示すように、感知器カバー１０を取付けベース２０に固定することができる。このような構造によれば、感知器カバー１０の取付けが容易であり、特に、感知器カバー１０を固定ネジや接着剤等を用いることなく取付けベース２０に取付けることができるので、その着脱が容易である。
【００３９】
（検煙機能について）
また、感知器カバー１０の上下及び左右の側面には、開口部１４が形成されている。この開口部１４は、感知器カバー１０の外部と内部との間において気体を連通自在とするもので、特許請求の範囲における連通手段に対応する。本実施の形態１において、各開口部１４は、略方形状のスリットとして形成されており、監視領域において発生した煙が、この開口部１４を介して感知器カバー１０の内部に流入し、検煙部３に到達することが可能になるので、感知器１の煙感知機能が感知器カバー１０の存在によって損なわれることを防止でき、感知器１の検煙性能を維持することができる。この効果を奏する限りにおいて、開口部１４の数、位置、あるいは、形状は変更可能であり、例えば、感知器１を監視領域の下方に配置する場合には、感知器カバー１０の上方から設置面Ｗに沿って煙が流入してくることが予想されるので、感知器カバー１０の上面のみに開口部１４を形成してもよい。また、開口部１４を、感知器カバー１０の正面に形成してもよい。あるいは、開口部１４を、方形状ではなく、円状等に形成してもよい。
【００４０】
（音響機能について）
このように構成された開口部１４は、通気効果のみでなく、音響効果を維持する機能を有する。すなわち、筐体２の図示しないスピーカから出力された警報音は、音響孔４を介して筐体２の外部に放出され、さらに開口部１４を介して感知器カバー１０の外部に放出される。従って、開口部１４は、感知器カバー１０の外部と内部との間において、音を連通自在とする連通手段としても機能する。このように開口部１４を設けることで、感知器１の警報音が感知器カバー１０で遮られることを防止でき、感知器１の音響性能を維持することができる。この効果を奏する限りにおいて、開口部１４の数、位置、あるいは、形状は変更可能であり、例えば、音響孔４に対応する正面位置にのみ、開口部１４を設けてもよい。
【００４１】
また、感知器カバー１０のカバー本体１１の正面には、正面略円形状の複数の開口部１５が形成されている。この開口部１５は、感知器カバー１０の外部と内部との間において、音を連通自在とするためのもので、特許請求の範囲における連通手段に対応する。各開口部１５は、カバー本体１１を貫通する貫通孔として形成されており、その外側において被覆シート１２にて覆われている。
【００４２】
このように被覆状の開口部１５を形成することで、美観を維持しつつ、音響効果を維持することができる。すなわち、筐体２の図示しないスピーカから出力された警報音は、音響孔４を介して筐体２の外部に放出される。その後、感知器カバー１０に達した警報音は、開口部１５を介して被覆シート１２に至る。この被覆シート１２は、上述したように壁紙にて構成されており、警報音が透過し得るような十分な薄さを有しているので、この被覆シート１２を警報音が透過して、感知器カバー１０の外部に放出される。このように開口部１５を設けることで、感知器１の警報音が感知器カバー１０で遮られることを防止でき、感知器１の音響性能を維持することができる。
【００４３】
特に、開口部１５を完全に露出状とせず、被覆シート１２にて覆っているので、開口部１５を介して感知器１が目視されることを防止でき、美観が低下することを防止できる。このように被覆シート１２は、連通手段である開口部１５を介して感知器カバー１０の内部が目視されることを略防止する遮蔽手段として機能する。なお、このような効果を奏する限りにおいて、開口部１５の数、位置、あるいは、形状は変更可能であり、例えば、カバー本体１１の正面の略全面に広幅の開口部１５を形成してもよい。また、上下及び左右の側面に形成した開口部１５についても、開口部１５と同様に被覆シート１２で覆ってもよい。
【００４４】
（表示機能について）
また、このように構成された開口部１５は、感知器カバー１０の外部と内部との間において、光を連通自在とする連通手段としても機能する。すなわち、筐体２の表示灯５が点滅又は点灯された場合、この表示光は、感知器カバー１０に達し、開口部１５を介して被覆シート１２に至る。この被覆シート１２は、上述したように壁紙にて構成されており、表示光が透過し得るような十分な薄さを有しているので、この被覆シート１２を表示光が透過して、感知器カバー１０の外部に放出される。このように開口部１５を設けることで、感知器１の表示光が感知器カバー１０で遮られることを防止でき、感知器１の表示性能を維持することができる。
【００４５】
特に、開口部１５を完全に露出状とせず、被覆シート１２にて覆っているので、開口部１５を介して感知器１が目視されることを防止でき、美観が低下することを防止できる。なお、このような効果を奏する限りにおいて、開口部１５の数、位置、あるいは、形状は変更可能であり、例えば、表示灯５に対応する正面位置にのみ開口部１５を形成してもよい。また、表示効果をさらに高めるため、カバー本体１１を透明部材にて形成してもよい。
【００４６】
（試験機能について）
また、図１〜３に示すように、感知器カバー１０の正面には、試験ボタン１６が設けられている。この試験ボタン１６は、感知器１の試験スイッチ６を感知器カバー１０の外部から操作するためのもので、特許請求の範囲における試験操作手段に対応する。図２、３に示すように、試験ボタン１６は、カバー本体１１から試験スイッチ６に至る細長棒状体として構成されており、カバー本体１１の正面における、試験スイッチ６に略対応する位置に設けられている。
【００４７】
従って、この試験ボタン１６を感知器１に向けて押圧することで、試験ボタン１６を介して試験スイッチ６を押圧でき、試験動作を起動することができる。特に、試験ボタン１６の周囲には、カバー本体１１及び被覆シート１２を貫通する切欠き部１７が形成されており、試験ボタン１６が押圧された場合に、この試験ボタン１６の周囲部分が大きく弾性変形し、試験ボタン１６を大きく可動させることが可能になっている。このような試験ボタン１６を設けたことで、感知器カバー１０を付けたままで感知器１の試験を行うことができる。なお、試験時には感知器カバー１０を取外して行うようにしてもよく、この場合には試験ボタン１６を省略してもよい。
【００４８】
（実施の形態１の効果）
このように本実施の形態１によれば、感知器を感知器１カバーで覆うことで、感知器１が目立たなくなり、居室等の監視領域の美観を感知器１によって損ねることが防止される。特に、被覆シート１２が、設置面Ｗに使用されているのと同じ壁紙（クロス）にて形成されており監視領域の美観が一層向上する。また、開口部１３の上縁をカバー用フック２４に係止させることで、感知器カバー１０を固定しているので、その着脱が容易である。さらに、煙が開口部１４を介して感知器カバー１０の内部に流入可能であるため、感知器１の検煙性能を維持することができる。また、警報音を開口部１４、１５を介して放出可能であるため、感知器１の音響性能を維持できる。また、表示光を開口部１５を介して放出可能であるため、感知器１の表示性能を維持できる。しかも、その一方で、開口部１５を被覆シート１２にて覆っているので、美観が低下することを防止できる。また、試験ボタン１６を設けたことで、感知器カバー１０を付けたままで感知器１の試験を行うことができる。特に、切欠き部１７を形成したので、試験ボタン１６を大きく可動させることが可能である。
【００４９】
〔実施の形態２〕
次に、本発明の実施の形態２について説明する。実施の形態２の設置構造は、感知器１の一部を埋設した状態としている点において、感知器１の全体を設置面Ｗから突出させた実施の形態１と異なる。なお、実施の形態１と略同様の構成要素については、必要に応じて、実施の形態１で用いたのと同一の符号を付してその説明を省略する。
【００５０】
図４は、実施の形態２に係る設置構造の側面図、図５は、図４の設置構造における感知器カバーの分解側面図である。これら図４、５に示すように、感知器１は、感知器カバー３０の内部に収容されている。この感知器カバーは、概略的に、カバーベース３１と、表面カバー３２とを組合わせて構成されており、全体として、感知器１の正面形状より若干大きな正面形状で、かつ、感知器１の厚みよりも若干厚い、中空箱状に形成されている。
【００５１】
このうち、カバーベース３１は、設置面Ｗに形成された収容スペースに収容されている。すなわち、設置面Ｗには、当該設置面Ｗの一部を切欠くことによって開口部が形成されており、この開口部を介してカバーベース３１が設置面Ｗの内側に埋設されている。ここで、カバーベース３１の厚みｔは、当該カバーベース３１の内部に感知器１を収容した状態において、この感知器１の検煙部３のみが設置面Ｗの収容スペースから外側に突出するように、決定されている。従って、検煙部３以外の部分を設置面Ｗの内部に埋設でき、設置面Ｗからの感知器１の突出量を低減できて、監視領域の美観を一層向上できる。また、その一方で、検煙部３は、カバーベース３１や設置面Ｗに埋没しないので、外部の煙が検煙部３にスムーズに到達でき、検煙機能が維持される。
【００５２】
このように埋設された状態において、カバーベース３１は、その外側周縁の複数個所において、設置面Ｗに固定されている。図６は、カバーベース３１の固定構造を示す分解斜視図である。図４〜６に示すように、カバーベース３１の外側周縁には、鍔部３３が設けられており、また、鍔部３３と設置面Ｗを挟んで対向する位置には、固定用フック３４が配置されている。そして、これら鍔部３３と固定用フック３４とで設置面Ｗを挟持することで、カバーベース３１が設置面Ｗに着脱自在に固定されている。
【００５３】
具体的には、図６に示すように、固定用フック３４は、側面略Ｌ字状に形成されており、その短片にはネジ孔３４ａが形成されている。一方、カバーベース３１の側壁には、開口部３１ａ及びネジ孔３１ｂが形成されている。そして、この開口部３１ａを介して固定用フック３４の長片を設置面Ｗの裏側に差し込み、固定ネジ３５を、短片のネジ孔３４ａに挿通させて側壁のネジ孔３１ｂにネジ込むことで、固定用フック３４をカバーベース３１に固定でき、鍔部３３と固定用フック３４とで設置面Ｗを挟持できる。特に、短片のネジ孔３４ａが長孔として形成されているので、カバーベース３１に対する固定用フック３４の固定位置を調整でき、鍔部３３と固定用フック３４との相互の間隔を調整できる。従って、監視領域における設置面Ｗの厚さが異なる場合でも、共通のカバーベース３１を取付けることができる。
【００５４】
また、表面カバー３２は、カバーベース３１に略対応する正面形状を有し、その側壁の一部をカバーベース３１の内部に挿入させることで、このカバーベース３１に対して固定される。そして、このように表面カバー３２をカバーベース３１に対して固定した状態において、これら表面カバー３２とカバーベース３１との間には、感知器１の形状に略合致した空間部が形成され、この空間部に感知器１を収容することができる。従って、表面カバー３２によって、設置面Ｗから突出した検煙部３を、外部から非露出状に覆うことができ、監視領域の美観を向上させることができる。なお、この表面カバー３２には、実施の形態１と同様の開口部１４、１５が設けられており（開口部１５の図示は省略する）、感知器１の検煙機能、音響機能、及び、表示機能が維持されている。
【００５５】
（実施の形態２の効果）
このように本実施の形態２によれば、実施の形態１と同様の効果に加えて、設置面Ｗからの感知器１の突出量を低減できて、監視領域の美観を一層向上できる。また、外部の煙が検煙部３にスムーズに到達でき、検煙機能が維持される。さらに、カバーベース３１に対する固定用フック３４の固定位置を調整でき、監視領域における設置面Ｗの厚さが異なる場合でも、カバーベース３１を取り付けることができる。
【００５６】
〔実施の形態３〕
次に、本発明の実施の形態３について説明する。実施の形態３の設置構造は、感知器１を設置する場合と設置しない場合とで、感知器カバーの突出量を調節できるようにしている点において、感知器カバーの突出量が調節できない実施の形態２と異なる。なお、実施の形態２と略同様の構成要素については、必要に応じて、実施の形態２で用いたのと同一の符号を付してその説明を省略する。
【００５７】
図７は、実施の形態３に係る設置構造の側面図、図８は、図７の設置構造の分解側面図、図９は、感知器１を設置しない場合の図７の設置構造の側面図である。これら図７〜９に示すように、感知器１は、感知器カバー４０の内部に収容されている。この感知器カバー４０は、概略的に、カバーベース４１と、表面カバー４２とを組合わせて構成されており、これらカバーベース４１及び表面カバー４２は、特記する場合を除いて、実施の形態２のカバーベース３１及び表面カバー３２とそれぞれ略同様に構成されている。
【００５８】
ここで、図８に示すように、表面カバー４２の側壁のうち、カバーベース４１に挿通される側の端部４２ａは、感知器カバー４０が設置面Ｗから外側に突出する突出量を調整するためのもので、特許請求の範囲における調整手段に対応する。具体的には、端部４２ａは、表面カバー４２から取外し自在に構成されている。この取外しを可能とするための具体的構成は任意であるが、例えば、表面カバー４２の側壁には図示しない溝部が形成されており、この溝部によって端部４２ａを切り離すことができる。このように取外し可能な端部４２ａの厚みは、この端部４２ａを取外した表面カバー４２をカバーベース４１に固定した状態において、この表面カバー４２の外面（感知器カバー４０の外面）が、設置面Ｗと略面一になるように決定されている。
【００５９】
したがって、この端部４２ａを取外す前は、図７に示すように、実施の形態１と同様、これら表面カバー４２とカバーベース４１との間に感知器１を収容でき、検煙部３のみが設置面Ｗから突出する。そして、感知器１を収容しない場合には、この端部４２ａを取外した表面カバー４２をカバーベース４１に取付けることで、図９に示すように、感知器カバー４０の外面を設置面Ｗと略面一として、感知器カバー４０の設置面Ｗからの突出量を低減でき、監視領域の美観を一層向上させることができる。なお、このように端部４２ａを、ヒンジ構造にて折り畳み自在とし、感知器１を設置しない場合には端部４２ａを折り畳み、感知器１を設置する場合には端部４２ａを初期位置に戻して、感知器１の収容スペースを形成してもよい。
【００６０】
（実施の形態３の効果）
このように本実施の形態３によれば、実施の形態２と同様の効果に加えて、感知器１を収容しない場合には、感知器カバー４０の設置面Ｗからの突出量を低減できて、監視領域の美観を一層向上できる。
【００６１】
〔実施の形態４〕
次に、本発明の実施の形態４について説明する。実施の形態４に係る設置構造は、感知器カバーの開口部を介して感知器１を目視されることを防止したものである。なお、実施の形態１と略同様の構成要素については、必要に応じて、実施の形態１で用いたのと同一の符号を付してその説明を省略する。
【００６２】
図１０は、実施の形態４に係る設置構造の側面図、図１１は、図１０のＡ−Ａ矢視断面図である。これら図１０、１１に示すように、感知器１は、感知器カバー５０の内部に収容されている。この感知器カバー５０は、概略的に、特記する場合を除いて、実施の形態１の感知器カバー１０と略同様に構成されている。
【００６３】
ここで、感知器カバー５０の開口部１４には、遮蔽部５３が設けられている。この遮蔽部５３は、連通手段である開口部１４を介して感知器カバー５０の内部が目視されることを略防止するためのもので、特許請求の範囲における遮蔽手段に対応する。この遮蔽部は、図１１に示すように、開口部１４の内部に形成された一対の遮蔽壁５３ａを備えて構成されている。
【００６４】
これら遮蔽壁５３ａは、開口部１４の内周壁から相互に対向する方向に延出されており、開口部１４の外部から内部に至る方向（以下、内外方向）に関して相互に若干距離を隔てて配置されている。これら遮蔽壁５３ａは、内外方向において相互に重複するように形成されており、この重複部分に妨げられて、開口部１４を介して感知器カバー５０の内部が直接目視できない。従って、感知器１を一層完全に非露出状にでき、監視領域の美観を一層向上できる。その一方で、遮蔽壁５３ａは相互に距離を隔てて配置されているので、これら遮蔽壁５３ａの相互の隙間を介して、煙が感知器カバー５０の内部に流入可能であり、また、警報音が感知器カバー５０の内部から外部に放出可能であるため、感知器１の基本性能を維持できる。さらに、遮蔽５３ａ壁の相互の間隔を極力狭めることで、感知器カバー５０に虫や埃が侵入することを防止でき、感知器カバー５０の内部の衛生状態を維持できる。
【００６５】
また、遮蔽壁５３ａに代えて、開口部１４の内部に網体を張設してもよく、この場合にも、開口部１４を介して感知器カバー５０の内部が直接目視されることを網体によって防止でき、また網体を介して煙や警報音が挿通可能となる。さらに、網体をできるだけ細かいメッシュにて形成することで、感知器カバー５０に虫や埃が侵入することを防止でき、感知器カバー５０の内部の衛生状態を維持できる。
【００６６】
（実施の形態４の効果）
このように本実施の形態４によれば、実施の形態２と同様の効果に加えて、遮蔽部５３を設けることで、開口部１４を介して感知器カバー５０の内部が直接目視できないようにして、監視領域の美観を一層向上できる。その一方で、遮蔽壁５３ａの相互の隙間を介して、煙が感知器カバー５０の内部に流入可能であり、また、警報音が感知器カバー５０の内部から外部に放出可能であるため、感知器１の基本性能を維持できる。さらに、遮蔽壁５３ａによって、感知器カバー５０に虫や埃が侵入することを防止でき、感知器カバー５０の内部の衛生状態を維持できる。
【００６７】
〔実施の形態５〕
次に、本発明の実施の形態５について説明する。実施の形態５に係る設置構造は、感知器１の外側に感知器カバーを設けるのではなく、感知器１の筐体２に感知器カバーを直接取付けることで、感知器１と設置面Ｗとの一体感を持たせたものである。なお、実施の形態１と略同様の構成要素については、必要に応じて、実施の形態１で用いたのと同一の符号を付してその説明を省略する。
【００６８】
図１２は、実施の形態５に係る設置構造の側面図、図１３は、図１２の設置構造の分解側面図である。これら図１２、１３に示すように、感知器１の筐体２の外部には、感知器カバー６０が取付けられている。この感知器カバー６０は、感知器１に略対応する正面形状にて形成され、この感知器１をその正面側から略覆っている。
【００６９】
この感知器カバー６０の側壁にはネジ孔６１が形成されており、固定ネジ６２を、このネジ孔６１に挿通させて、さらに感知器１の筐体２に形成されたネジ孔２ｂにネジ込むことによって、感知器カバーを感知器１に取付けることができる。また、このようなネジ構造以外にも、例えば、マグネット構造にて、感知器カバーを感知器１に着脱自在に取付けてもよい。なお、この感知器カバー６０にも、実施の形態１と同様の開口部１４、１５が形成されており（開口部１４のみ図示する）、感知器１の検煙機能、音響機能、及び、表示機能が維持されている。
【００７０】
（実施の形態５の効果）
このように本実施の形態５によれば、実施の形態１と同様の効果に加えて、感知器カバーを感知器１に直接取付けることができるので、例えば、感知器１の取付けベース２０には、カバー用フック２４を設ける必要がなくなる等、従来の感知器の設置構造を流用することができる。また、感知器１の設置位置を移動するような場合にも、感知器１と感知器カバー６０を一体に移動できるので、その取り扱いが一層容易になる。
【００７１】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００７２】
（解決しようとする課題や発明の効果について）
また、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、警報器を完全に目立たないようには設置できない場合であっても、従来の設置構造に比べて若干でも美観向上効果が得られる限りにおいて、本発明の課題が達成されている。
【００７３】
（カバー手段の構成について）
また、カバー手段の具体的構成については、各実施の形態に示したもの以外にも、様々な構成を取り得る。例えば、実施の形態１においては、感知器１と感知器カバー１０とを共通の取付けベース２０に係止させているが、感知器カバーを設置面Ｗに石膏釘２２にて直接固定してもよい。また、感知器カバー１０によって感知器１を完全に覆わなくてもよく、感知器１のうちの最も美観を損ねる部分、例えば、検煙部３のみを覆うようにしてもよい。
【００７４】
また、感知器カバー１０、３０、４０、５０、６０の被覆シート１２として、設置面Ｗと同一の壁紙を用いるものとしたが、感知器カバー１０、３０、４０、５０、６０を設置面Ｗとあえて異なる色や模様にデザインすることで、監視領域の美観を向上させてもよい。例えば、被覆シート１２に任意のキャラクターやデザインを施すことで、感知器１の意匠性を向上させてもよい。この場合には、監視領域の内装に合わせて感知器カバー１０、３０、４０、５０、６０のデザインを変える等も容易にでき、美観を容易に向上させることができる。
【産業上の利用可能性】
【００７５】
警報器を設置面に設置する際の設置構造に本発明を適用することで、監視領域の美観が警報器によって大きく損なわれることを防止できる。
【図面の簡単な説明】
【００７６】
【図１】本発明の実施の形態１に係る設置構造の正面図である。
【図２】図１の設置構造の側面図である。
【図３】図１の設置構造の分解斜視図である。
【図４】実施の形態２に係る設置構造の側面図である。
【図５】図４の設置構造における感知器カバーの分解側面図である。
【図６】カバーベースの固定構造を示す分解斜視図である。
【図７】実施の形態３に係る設置構造の側面図である。
【図８】図７の設置構造の分解側面図である。
【図９】感知器を設置しない場合の図７の設置構造の側面図である。
【図１０】実施の形態４に係る設置構造の側面図である。
【図１１】図１０のＡ−Ａ矢視断面図である。
【図１２】実施の形態５に係る設置構造の側面図である。
【図１３】図１２の設置構造の分解側面図である。
【符号の説明】
【００７７】
１  感知器
２  筐体
２ａ  フック
２ｂ、６１  ネジ孔
３  検煙部
３ａ  開口部
４  音響孔
５  表示灯
６  試験スイッチ
１０、３０、４０、５０、６０  感知器カバー
１１  カバー本体
１２  被覆シート
１３〜１５  開口部
１６  試験ボタン
１７、６２  切欠き部
２０  取付けベース
２１  取付け孔
２２  石膏釘
３１、４１  カバーベース
３２、４２  表面カバー
３３  鍔部
３４  固定用フック
３５、６２  固定ネジ
Ｗ  設置面
【図１】
2006323577.tif 000003
【図２】
2006323577.tif 000004
【図３】
2006323577.tif 000005
【図４】
2006323577.tif 000006
【図５】
2006323577.tif 000007
【図６】
2006323577.tif 000008
【図７】
2006323577.tif 000009
【図８】
2006323577.tif 000010
【図９】
2006323577.tif 000011
【図１０】
2006323577.tif 000012
【図１１】
2006323577.tif 000013
【図１２】
2006323577.tif 000014
【図１３】
2006323577.tif 000015